(57)【特許請求の範囲】
【請求項１】
ねじ筒部を有しこのねじ筒部の内側にランプのランプピンを装着するランプピン装着部を有するソケット本体と、前記ランプを挿通する略円筒状であって前記ねじ筒部にねじ込むねじ部を後端部に有し前端部に内向き鍔状の座金当接部を有する防水リングと、この防水リング内に嵌合して前記ランプを挿通可能な略円筒状であって前記ねじ部を前記ねじ筒部にねじ込むことにより前端部が前記座金当接部に押されて内周側が前記ランプの周面に密着するとともに後端部が前記ソケット本体に密着する防水パッキンと、この防水パッキンの前端部と前記防水リングの前記座金当接部との間に介在されて前記座金当接部に線接触する座金とを備え、前記座金は前記防水パッキンの前端が内側に当接する皿座金であり、前記皿座金を前記座金当接部に案内するガイドを前記座金当接部に設けた防水ソケット。
【請求項２】
前記座金および前記座金当接部のいずれか一方を傾斜面とし他方をランプ軸に直角な平面とした請求項１記載の防水ソケット。
【請求項３】
前記座金および前記座金当接部をそれぞれ互いに傾斜角の異なる傾斜面とした請求項１記載の防水ソケット。
【発明の詳細な説明】
【０００１】
【発明の属する技術分野】
この発明は、例えば直管形蛍光灯用照明器具灯などに適用される防水ソケットに関するものである。
【０００２】
【従来の技術】
防水リングと防水パッキンの前端部間へ摩擦低減のために平板の座金を使用することは知られている（例えば、実公平7-3592号、実開昭63-26990号、実開昭58-135884 号）。
図１３から図１５は従来の突き合わせ式のソケットを示している。ソケット本体１にランプＬを装着する場合、ランプＬに防水リング２および座金４、防水パッキン３を挿通しておき、まずランプＬをソケット本体１に装着した後、防水リング２のねじ部１０をソケット本体のねじ部１１に押付け回転しながら螺合していくと、防水パッキン３にランプ軸方向に沿って圧縮力が加えられ、防水パッキン３の一端は防水リング２の前端部１２に座金４を挾みながら密接し、他端はソケット本体１に密接する。また防水パッキン３の前端部には薄肉部９を形成し、前述の圧縮力により押し出されてランプＬの管壁に密接している。したがって、防水パッキン３はソケット本体１とランプＬとの間を水が浸入しないように封鎖している。
【０００３】
防水リング２を回転しながら締付けるとき、ねじ部１０およびねじ筒部１１の螺合によりランプＬの軸方向に沿ってソケット本体１に接近する向きに移動し防水パッキン３を押して軸方向に沿う力が加わり、防水パッキン１の前端の薄肉部９がランプ軸に垂直方向へ押し出され、ランプＬを回転する方向に力が作用する。一方、防水パッキン３のソケット本体１と防水リング２の前端部の密接部分では防水リング２の回転方向の力が、防水パッキン３を回転する方向へ作用し摩擦抵抗により防水リング２の回転方向の締付け力を増加させる。防水パッキン３はゴム材等の弾性材料で形成されているため摩擦係数が金属や樹脂同士に比べて大きい。
【０００４】
そこで、この摩擦を低減するために、防水リング２と防水パッキン３の前端部間へ金属もしくは樹脂製の座金４を使用している。
【０００５】
【発明が解決しようとする課題】
しかし、防水リング２の前端部と座金４の当接面は平面接触となっているため、摩擦抵抗の低減が十分ではない。
上記従来例の突き合わせ式のソケットではランプＬの装着部の栓受体５がランプ軸方向に可動するが、回転方向には動かないため、大きな締付け力が必要となる。
【０００６】
また図１６に示す回転式ソケットでは、栓受体に相当するランプ装着部の回転子がランプピンの回動に伴って回転可能であるため、従来のような座金４では防水リング２の締付けにより防水パッキン３を介して作用する回転力がランプＬのソケット本体１への装着力よりも上回るとランプＬ自身が導通したランプ装着状態から回転し導通不良を生じるおそれがあり、不点もしくは接触不良により、ランプＬの性能に悪影響を与えることがある。
【０００７】
したがって、この発明の目的は、ランプ装着の際の防水リングの締付けが容易にできる防水ソケットを提供することである。
【０００８】
【課題を解決するための手段】
請求項１記載の防水ソケットは、ねじ筒部を有しこのねじ筒部の内側にランプのランプピンを装着するランプピン装着部を有するソケット本体と、前記ランプを挿通する略円筒状であって前記ねじ筒部にねじ込むねじ部を後端部に有し前端部に内向き鍔状の座金当接部を有する防水リングと、この防水リング内に嵌合して前記ランプを挿通可能な略円筒状であって前記ねじ部を前記ねじ筒部にねじ込むことにより前端部が前記座金当接部に押されて内周側が前記ランプの周面に密着するとともに後端部が前記ソケット本体に密着する防水パッキンと、この防水パッキンの前端部と前記防水リングの前記座金当接部との間に介在されて前記座金当接部に線接触する座金とを備え、前記座金は前記防水パッキンの前端が内側に当接する皿座金であり、前記皿座金を前記座金当接部に案内するガイドを前記座金当接部に設けたものである。
【０００９】
請求項１記載の防水ソケットによれば、座金が防水リングの前端部に例えば内周縁部または外周縁部により線接触するように構成したため、摩擦面を減らすことができ、ランプ装着時の防水リングの締付けにより生じる回転方向の力を大幅に低減でき、防水パッキンを介してランプを回転する方向に作用する力も大幅に減り、回転式ソケットでもランプの装着作業において防水リングの締付け操作が容易でランプの共回りを防止できる。
【００１０】
請求項２記載の防水ソケットは、請求項１において、前記座金および前記座金当接部のいずれか一方を傾斜面とし他方をランプ軸に直角な平面としたものである。
請求項２記載の防水ソケットによれば、請求項１と同様な効果がある。
請求項３記載の防水ソケットは、請求項１において、前記座金および前記座金当接部をそれぞれ互いに傾斜角の異なる傾斜面としたものである。
【００１１】
請求項３記載の防水ソケットによれば、請求項１と同様な効果がある。
【００１２】
【発明の実施の形態】
この発明の第１の実施の形態を図１から図４により説明する。すなわち、この防水ソケットは回転式ソケットであり、ソケット本体１と、防水リング２と、防水パッキン３と、座金４とを有する。
ソケット本体１は、ねじ筒部１１を有し、このねじ筒部１１の内側にランプＬのランプピンＰを装着するランプピン装着部１５を有する。ねじ筒部１１にはランプピン挿入溝１１ａを有し、ランプピン装着部１５はランプピン（図示せず）の側面に接触する導電端子（図示せず）を有し、この導電端子を被覆する回転子５をソケット本体１に回転自在に取付け、回転子５にランプピン挿入溝１１ａに連通するランプピン挿通溝５ａを設けている。このソケット本体１は、ランプピンをランプピン挿入溝１１ａを通してランプピン挿通溝５ａに通しランプピンを回動することにより回転子５をともに回転してランプピンを導電端子に接触させ給電する。
【００１３】
防水リング２は、ランプＬを挿通する略円筒状であってねじ筒部１１にねじ込むねじ部１０を後端部に有し、前端部に内向き鍔状の座金当接部１２を有する。実施の形態ではランプ径が比較的小であるため、中間に段部２ａを設けて前端側を小径にしている。また座金当接部１２は傾斜面に形成し、その傾斜面の後端側に傾斜ガイド１９を設け、座金当接部１２に座金４を収まりやすくしている。
【００１４】
防水パッキン３は、防水リング２内に嵌合してランプＬを挿通可能な略円筒状であって、ねじ部１０をねじ筒部１１にねじ込むことにより前端部が座金当接部１２に押されて内周側がランプＬの周面に密着するとともに後端部がソケット本体１に密着する。実施の形態では防水リング２とほぼ同様に中間に段部３ａを設けて前端側を小径にし、さらに防水パッキン３の前端部の径をやや小に細めており、その前端部の内周縁をランプ密着部１６としている。防水パッキン３の後端部はその端縁に円冠状に凸部３ｂを形成して回転時の摩擦抵抗を低減するためソケット本体１の底面にほぼ線接触するようにしている。１７は段部３ａに設けられてねじ部１０に係合する外鍔部である。
【００１５】
座金４は、防水パッキン３の前端部と防水リング２の前端部との間に介在されて座金当接部１２に線接触する。実施の形態では、金属または樹脂とくに防水リングより硬い樹脂を用いて例えば略円錐台筒状の皿座金に形成され、座金４および座金当接部１２をそれぞれ互いに傾斜角の異なる傾斜面としている。角度差はＡ1 であり、ランプ軸に対する傾斜角は座金当接部１２の方が大きくしてあり、座金４の内周縁部が座金当接部１２に線接触している。
【００１６】
この実施の形態は、防水パッキン３を防水リング２に挿入し、防水パッキン３をランプＬに挿通し、ランプピンをランプ装着部１５に装着し、防水リング２をソケット本体１のねじ筒部１１にねじ込む。防水リング２のねじ部１０のねじ込みにより防水パッキン３の前端部が座金４に押され、座金４が傾斜しているため、防水パッキン３の前端部のランプ密着部１６をランプＬの周面に押付け、密接しながら防水パッキン３の後端部をソケット本体１に密接し、これによって防水が達成される。
【００１７】
この実施の形態によれば、防水リング２と防水パッキン３の前端部の間へ摩擦低減のために使用する座金４を皿座金の傾斜面を利用しこの傾斜面とこれに当接する防水リング２の前端部の座金当接部１２の傾斜面に角度差Ａ1 を設けることで、従来の面接触から円周状の線接触になり、皿座金には金属もしくは防水リング２の樹脂より硬い材質で形成することで、摩擦を低減し防水リング２とソケット本体１のねじ部１０を螺合しながら締めつける時に作用する回転方向の力の影響を、防水リング２と座金４間、座金４と防水パッキン３の間の摩擦の違いを利用して、防水リング２と座金４が先述の方法で摩擦を低減しているため、防水リング２と座金４がすべりやすくなり、防水パッキン３への回転力の影響を大幅に減らすことができる。その結果、回転式ソケットにおいても防水リング２の締付け操作が容易で、ランプＬの共回りを防止することができ、ランプＬの接触不良によるランプ性能への悪影響を及ぼすことを防止できる。
【００１８】
また座金４を皿座金にしたことで、同じ板厚の平座金に比べ強度が大きいので変形しにくく、金属材料の場合、錆防止のためめっき処理を施すがこのめっきの時にも熱処理による変形防止と、座金同士の重なりによるめっき不良の低減も、可能となる。
さらに皿座金の傾斜面が防水リング２への組み込み時のガイドとなるだけでなく、防水パッキン３の前端部の皿座金への誘いとしても機能し、防水リング２、座金４、防水パッキン３の組み込み時の位置合わせが容易になる。
【００１９】
座金当接部１２に傾斜ガイド１９を設けると、防水リング２内の座金当接部１２に座金４を傾きなく容易に組み込むことができる。
図５は第１の実施の形態の変形形態であり、座金４の外周縁が座金当接部１２に線接触で当接するように、軸線に対する傾斜角度を設定し、その傾斜角の差Ｂ2 としている。
【００２０】
図６はその別の変形形態であり、座金４は第１の実施の形態と同様に内周縁部が座金当接部１２に線接触するが、防水リング２の座金当接部１２を軸線に対して傾斜せずに軸線に直角な平面に形成し、座金当接部１２に連続する防水リング２の内周面に座金４を収まりやすくする傾斜ガイド１９を設けている。
この発明の第２の実施の形態を図７から図９に示す。すなわち、この防水ソケットは、第１の実施の形態と比べてランプＬの径が大きい場合であり、防水リング２および防水パッキン３ともに前端側が小径になってなく中間の内周側に段部のない円筒形に形成されている。また防水リング２の前端部の座金当接部１２は軸線に対して傾斜し、座金４は皿座金を用いているが、座金４の外周縁部が座金当接部１２に線接触するように傾斜角度を異ならせている。その他は第１の実施の形態と同様である。
【００２１】
図１０は第２の実施の形態の変形形態であり、防水リング２の座金当接部１２と座金４の角度差Ｂ1 とするとともに、防水パッキン３の前端部の座金４に密接する部分に円冠状に凸部３ｃを形成して、座金４に対してほぼ線接触するようにしている。
図１１は別の変形形態であり、座金当接部１２と皿座金を用いた座金４の角度差Ａ2 に異ならせて、座金４の内周縁部を座金当接部１２に線接触している。
【００２２】
図１２はさらに別の変形形態であり、座金当接部１２を軸線に対して直角にし、座金当接部１２に当接する座金４を皿座金にして、座金４の内周縁部を座金当接部１２に線接触している。
なお、これとは反対に座金当接部１２を軸線に対して傾斜し、座金４を平座金にして座金４の周縁部を座金当接部１２に線接触するようにしてもよい。
【００２３】
【発明の効果】
請求項１記載の防水ソケットによれば、座金が防水リングの前端部に例えば内周縁部または外周縁部により線接触するように構成したため、摩擦面を減らすことができ、ランプ装着時の防水リングの締付けにより生じる回転方向の力を大幅に低減でき、防水パッキンを介してランプを回転する方向に作用する力も大幅に減り、回転式ソケットでもランプの装着作業において防水リングの締付け操作が容易でランプの共回りを防止できる。
【００２４】
請求項２記載の防水ソケットによれば、請求項１と同様な効果がある。
請求項３記載の防水ソケットによれば、請求項１と同様な効果がある。
【図面の簡単な説明】
【図１】この発明の第１の実施の形態を示し、（ａ）は一部破断側面図、（ｂ）はその正面図である。
【図２】分解側面図である。
【図３】分解斜視図である。
【図４】（ａ）は防水リングの半断面側面図、（ｂ）はその部分拡大図である。
【図５】第１の実施の形態の変形形態を示し、（ａ）は防水リングの半断面側面図、（ｂ）はその部分拡大図である。
【図６】第１の実施の形態のさらに別の変形形態を示し、（ａ）は防水リングの半断面側面図、（ｂ）はその部分拡大図である。
【図７】第２の実施の形態を示し、（ａ）は一部破断側面図、（ｂ）はその正面図である。
【図８】分解側面図である。
【図９】分解斜視図である。
【図１０】第２の実施の形態の変形形態を示し、  （ａ）は防水リングの半断面側面図、（ｂ）はその部分拡大図である。
【図１１】第２の実施の形態の別の変形形態を示し、（ａ）は防水リングの半断面側面図、（ｂ）はその部分拡大図である。
【図１２】第２の実施の形態のさらに別の変形形態を示し、（ａ）は防水リングの半断面側面図、（ｂ）はその部分拡大図である。
【図１３】従来例を示し、（ａ）は一部破断側面図、（ｂ）はその正面図である。
【図１４】その分解側面図である。
【図１５】（ａ）は防水リングのねじ込み前の一部破断側面図、（ｂ）は防水リングの側面図である。
【図１６】回転式ソケットの防水リングを示し、（ａ）はその防水リングのねじ込み前の一部破断側面図、（ｂ）は防水リングの側面図である。
【符号の説明】
１    ソケット本体
２    防水リング
３    防水パッキン
４    座金
１０    ねじ部
１１    ねじ筒部
１２    座金当接部
１５    ランプピン装着部
Ｌ    ランプ
【図１】
0003667996.tif 000002
【図２】
0003667996.tif 000003
【図３】
0003667996.tif 000004
【図４】
0003667996.tif 000005
【図５】
0003667996.tif 000006
【図６】
0003667996.tif 000007
【図７】
0003667996.tif 000008
【図８】
0003667996.tif 000009
【図９】
0003667996.tif 000010
【図１０】
0003667996.tif 000011
【図１１】
0003667996.tif 000012
【図１２】
0003667996.tif 000013
【図１３】
0003667996.tif 000014
【図１４】
0003667996.tif 000015
【図１５】
0003667996.tif 000016
【図１６】
0003667996.tif 000017